(57)【特許請求の範囲】
【請求項１】
ポリエステルを主成分とする熱可塑性樹脂からなる層として、単層もしくは２層以上の層構造を有する樹脂フィルムを被覆した樹脂フィルム被覆金属板であって、前記樹脂フィルム被覆金属板は、前記樹脂フィルムを被覆した後に、８０℃以上２５０℃以下の高温雰囲気中で熱処理され、前記樹脂フィルムの結晶化度が１５％以上であり、前記樹脂フィルムの表面には面積１ｍｍ2あたり、粒径が０．５〜５μｍの粒子が５００個以上露出していることを特徴とする樹脂フィルム被覆金属板。
【請求項２】
ポリエステルを主成分とする熱可塑性樹脂からなる層として、単層もしくは２層以上の層構造を有する樹脂フィルムを被覆した樹脂フィルム被覆金属板であって、前記樹脂フィルム被覆金属板は、前記樹脂フィルムを被覆した後に、８０℃以上２５０℃以下の高温雰囲気中で熱処理され、前記樹脂フィルムの結晶化度が１５％以上であり、前記樹脂フィルムの表面には、面積１ｍｍ2あたり、粒径が０．５〜５μｍの粒子により形成される突起が５００個以上存在することを特徴とする樹脂フィルム被覆金属板。
【請求項３】
ポリエステルを主成分とする熱可塑性樹脂からなる層として、単層もしくは２層以上の層構造を有する樹脂フィルムを被覆した樹脂フィルム被覆金属板であって、前記樹脂フィルム被覆金属板は、前記樹脂フィルムを被覆した後に、８０℃以上２５０℃以下の高温雰囲気中で熱処理され、前記樹脂フィルムの結晶化度が１５％以上であり、前記樹脂フィルムの表面には面積１ｍｍ2あたり、粒径が０．５〜５μｍの粒子が５００個以上露出しかつ前記粒径が０．５〜５μｍの粒子により形成される突起が５００個以上存在することを特徴とする樹脂フィルム被覆金属板。
【請求項４】
前記樹脂フィルム中に含まれる粒子が酸化ケイ素であることを特徴とする請求項１〜３のいずれかに記載の樹脂フィルム被覆金属板。
【請求項５】
ポリエステルを主成分とする熱可塑性樹脂からなる層として、単層もしくは２層以上の層構造を有する樹脂フィルムを被覆した樹脂フィルム被覆金属板であって、最表層の樹脂中には粒径が０．５〜５μｍの粒子を０．０５重量％以上含有し、その膜厚は２μｍ以上１０μｍ以下であり、前記ポリエステル樹脂における酸成分はイソフタル酸５〜１８重量部と残りの主たる部分がテレフタル酸からなることを特徴とする請求項１〜４のいずれかに記載の樹脂フィルム被覆金属板。
【請求項６】
前記樹脂フィルム被覆金属板の金属板に接する最下層は、ポリエステル樹脂中にカルボン酸誘導体変性ポリオレフィン粒状樹脂を５〜３０重量％含有することを特徴とする請求項５に記載の樹脂フィルム被覆金属板。
【請求項７】
最表層と、その他の層全体の膜厚の比率が、１／１５〜１／２であることを特徴とする請求項１〜６のいずれかに記載の樹脂フィルム被覆金属板。
【請求項８】
前記熱処理が８０℃以上の乾燥雰囲気でなされることを特徴とする請求項１〜３のいずれか一項に記載の樹脂フィルム被覆金属板。
【請求項９】
前記熱処理が８０℃以上の水蒸気雰囲気でなされることを特徴とする請求項１〜３のいずれか一項に記載の樹脂フィルム被覆金属板。
【請求項１０】
請求項１ないし９のいずれかに記載の樹脂フィルム被覆金属板を、成形してなることを特徴とする樹脂フィルム被覆金属缶。
【請求項１１】
樹脂フィルム被覆金属缶を熱処理することにより、樹脂フィルムの結晶化度を３０％以上とすることを特徴とする請求項１０に記載の樹脂フィルム被覆金属缶。
【請求項１２】
前記樹脂フィルム被覆金属缶に炭酸飲料を充填して飲用に供することを特徴とする請求１０または１１に記載の樹脂フィルム被覆金属缶。
【請求項１３】
缶および/または炭酸飲料を８℃以下に冷却して前記樹脂フィルム被覆金属缶に炭酸飲料を充填することを特徴とする請求項１０〜１２のいずれかに記載の樹脂フィルム被覆金属缶。
【請求項１４】
缶の内面を液体で濡らしてから前記樹脂フィルム被覆金属缶に炭酸飲料を充填することを特徴とする請求項１０〜１３のいずれかに記載の樹脂フィルム被覆金属缶。
【発明の詳細な説明】
【技術分野】
【０００１】
本発明は、樹脂フィルム被覆金属板及び樹脂フィルム被覆金属缶に関するものであり、詳しくは良好な加工性、耐衝撃性を示し、炭酸飲料、特にビールを充填する容器として耐食性、フレーバー性を持つとともに、泡立ち性、泡持ち性に優れた樹脂フィルム被覆金属板及び樹脂フィルム被覆金属缶に関するものである。
【背景技術】
【０００２】
薄肉化深絞り缶や絞りしごき缶（ＤＩ缶）のような過酷な成形を強いられる金属缶には、金属板からの金属溶出による味やフレーバーの低下、さらには内容物の変質などを防止するために、缶内面側に樹脂層を設けた樹脂被覆金属板が一般に使用されている。そのような樹脂被覆金属板としては、環境ホルモンの危険性を指摘されているエポキシ系塗膜層の代替として、最近では、熱可塑性ポリエステル系樹脂フィルムを被覆した金属板が用いられ、前記樹脂被覆金属板が成形されて樹脂フィルム被覆金属缶が形成される。
【０００３】
ところで、前記樹脂フィルム被覆金属缶は、ジュースやビール等の炭酸飲料にも多く使用されている。しかし、炭酸飲料を充填して密封した樹脂フィルム被覆金属缶を開缶すると内容物が開口から泡となって吹出すとともに内容物が気抜けするという問題があった。この問題に対し、特許文献１や特許文献２では、粒径の小さい粒子を樹脂フィルム中に含有させることにより表面の突起を減少させ、缶成形後にフィルム表面の凹凸を減少させる方法が記載されている。
【０００４】
また、例えば、特許文献３では、ポリエステル中に含まれる粒子の形状度を規定したポリエステルフィルムが記載されている。
【特許文献１】特開平６−２３８８１８号公報
【特許文献２】特開平１１−１０７２４号公報
【特許文献３】特開平１１−２５４６２５号公報
【発明の開示】
【発明が解決しようとする課題】
【０００５】
ここで、ビール、発泡酒等のように発酵を利用した炭酸飲料では、泡は、液表面に泡が発生することにより内容物中の炭酸や香味成分が抜けることを抑制し、空気酸化により内容物が劣化することを防ぎ、さらに変質しやすい飲料の味や香りを長く保持するという大きな効果を持っている。また、泡部分にはビールの苦味成分が多く移動するため、泡以外の部分の味がまろやかになるという効果もある。
【０００６】
しかしながら、特許文献１や特許文献２に記載の技術は、上記の泡効果を考慮しておらず、ビンや樽に充填されたものに比べて味や香りが劣るという問題があった。
【０００７】
また、特許文献３では、粒子の形状をコントロールするだけでは味や香りの保持に十分な泡が発生せず、泡立ち性が不充分であり、また気抜けしやすいという問題があった。さらに、粒子を含有する部分は泡の発生起点になる一方で内容物成分の吸着点となるため、フレーバー成分の容器表面への吸着による内容物フレーバーの低下が起こり、味、香りが変化するという問題があった。
【０００８】
本発明は、かかる事情を鑑みてなされたものであり、ビール、発泡酒等のように発酵を利用した炭酸飲料において、開缶時に適度な泡立ちを発生させ、容器表面へのフレーバー吸着を抑制することにより、従来得られなかった味や香りを保持できる、泡立ち性、泡持ち性に優れた樹脂フィルム被覆金属板及び樹脂フィルム被覆金属缶を提供することを目的とする。
【課題を解決するための手段】
【０００９】
本発明者らは、上記課題を解決するために、鋭意検討した結果、以下のことを知見した。
【００１０】
泡立ち性、泡持ち性は、金属板に被覆される樹脂フィルムの中に含まれる粒子の形態、そして缶成形時にその粒子により生じる空孔に起因する。
【００１１】
しかし、一方でそのような空孔は缶内容物の香り成分の吸着点となり、さらに、金属板との密着性低下、缶への衝撃によるフィルムクラックの発生、剥離、また各種内容物に接した時の腐食や剥離の原因となる可能性があるため、そのような吸着およびフィルムクラック発生を抑制する必要があった。
【００１２】
このように、缶内面の樹脂フィルム表面の空孔による泡の発生と、香味成分吸着およびフィルムクラック発生の抑制を両立させることが本発明の重要な技術であり、本発明では、空孔の形状、量、さらには樹脂フィルム状態のコントロールにより、相反する両性能が完全に両立することを見出した。
【００１３】
そして、上記粒子の形態、空孔の形状・量、樹脂フィルムの状態を適切な範囲に規定することより、金属板との密着性に優れ、缶への衝撃によってフィルムにクラックが発生したり、剥離したりせず、また各種内容物に接した時に腐食や剥離が生じない樹脂フィルム被覆金属缶が得られることを確認した。
【００１４】
また、缶の内容物の香味成分がフィルムに吸着したり、フィルムの溶出成分や臭いによって内容物の風味が損なわれないことも確認した。
【００１５】
さらに、樹脂フィルム表面の空孔を缶成形時に生成させるためには、金属板上に被覆した樹脂フィルムに対して缶成形前に熱処理を行うことが有効であることも見出した。特に、フィルム中に微粒子が含まれている場合にその効果は著しい。
【００１６】
本発明は以上の知見をもとになされたものであり、以下のような特徴を有する。
［１］ポリエステルを主成分とする熱可塑性樹脂からなる層として、単層もしくは２層以上の層構造を有する樹脂フィルムを被覆した樹脂フィルム被覆金属板であって、前記樹脂フィルム被覆金属板は、前記樹脂フィルムを被覆した後に、８０℃以上２５０℃以下の高温雰囲気中で熱処理され、前記樹脂フィルムの結晶化度が１５％以上であり、前記樹脂フィルムの表面には面積１ｍｍ2あたり、粒径が０．５〜５μｍの粒子が５００個以上露出していることを特徴とする樹脂フィルム被覆金属板。
［２］ポリエステルを主成分とする熱可塑性樹脂からなる層として、単層もしくは２層以上の層構造を有する樹脂フィルムを被覆した樹脂フィルム被覆金属板であって、前記樹脂フィルム被覆金属板は、前記樹脂フィルムを被覆した後に、８０℃以上２５０℃以下の高温雰囲気中で熱処理され、前記樹脂フィルムの結晶化度が１５％以上であり、前記樹脂フィルムの表面には、面積１ｍｍ2あたり、粒径が０．５〜５μｍの粒子により形成される突起が５００個以上存在することを特徴とする樹脂フィルム被覆金属板。
［３］ポリエステルを主成分とする熱可塑性樹脂からなる層として、単層もしくは２層以上の層構造を有する樹脂フィルムを被覆した樹脂フィルム被覆金属板であって、前記樹脂フィルム被覆金属板は、前記樹脂フィルムを被覆した後に、８０℃以上２５０℃以下の高温雰囲気中で熱処理され、前記樹脂フィルムの結晶化度が１５％以上であり、前記樹脂フィルムの表面には面積１ｍｍ2あたり、粒径が０．５〜５μｍの粒子が５００個以上露出しかつ前記粒径が０．５〜５μｍの粒子により形成される突起が５００個以上存在することを特徴とする樹脂フィルム被覆金属板。
［４］前記［１］〜［３］のいずれかにおいて、前記樹脂フィルム中に含まれる粒子が酸化ケイ素であることを特徴とする樹脂フィルム被覆金属板。
［５］前記［１］〜［４］のいずれかにおいて、ポリエステルを主成分とする熱可塑性樹脂からなる層として、単層もしくは２層以上の層構造を有する樹脂フィルムを被覆した樹脂フィルム被覆金属板であって、最表層の樹脂中には粒径が０．５〜５μｍの粒子を０．０５重量％以上含有し、その膜厚は２μｍ以上１０μｍ以下であり、前記ポリエステル樹脂における酸成分はイソフタル酸５〜１８重量部と残りの主たる部分がテレフタル酸からなることを特徴とする樹脂フィルム被覆金属板。
［６］前記［５］において、前記樹脂フィルム被覆金属板の金属板に接する最下層は、ポリエステル樹脂中にカルボン酸誘導体変性ポリオレフィン粒状樹脂を５〜３０重量％含有することを特徴とする樹脂フィルム被覆金属板。
［７］前記［１］〜［６］のいずれかにおいて、最表層と、その他の層全体の膜厚の比率が、１／１５〜１／２であることを特徴とする樹脂フィルム被覆金属板。
［８］前記［１］〜［３］のいずれかにおいて、前記熱処理が８０℃以上の乾燥雰囲気でなされることを特徴とする樹脂フィルム被覆金属板。
［９］前記［１］〜［３］のいずれかにおいて、 前記熱処理が８０℃以上の水蒸気雰囲気でなされることを特徴とする樹脂フィルム被覆金属板。
［１０］前記［１］〜［９］のいずれかに記載の樹脂フィルム被覆金属板を、成形してなることを特徴とする樹脂フィルム被覆金属缶。
［１１］前記［１０］において、樹脂フィルム被覆金属缶を熱処理することにより、樹脂フィルムの結晶化度を３０％以上とすることを特徴とする樹脂フィルム被覆金属缶。
［１２］前記［１０］または［１１］において、前記樹脂フィルム被覆金属缶に炭酸飲料を充填して飲用に供することを特徴とする樹脂フィルム被覆金属缶。
［１３］前記［１０］〜［１２］のいずれかにおいて、缶および/または炭酸飲料を８℃以下に冷却して前記樹脂フィルム被覆金属缶に炭酸飲料を充填することを特徴とする樹脂フィルム被覆金属缶。
［１４］前記［１０］〜［１３］のいずれかにおいて、缶の内面を液体で濡らしてから前記樹脂フィルム被覆金属缶に炭酸飲料を充填することを特徴とする樹脂フィルム被覆金属缶。
【発明の効果】
【００１７】
以上、本発明によれば、良好な加工性、耐衝撃性を持ちながら、泡立ち性、泡持ち性に優れた金属板被覆用樹脂フィルム、樹脂フィルム被覆金属板及び樹脂フィルム被覆金属缶を提供する。本発明により得られた樹脂フィルム被覆金属缶は、開缶時に適度な泡立ちが発生することにより、従来得られなかった味や香りを保持できるので、ビール、発泡酒等のように発酵を利用した炭酸飲料用缶として最適である。
【発明を実施するための最良の形態】
【００１８】
以下に、本発明の樹脂フィルム被覆金属板及び樹脂フィルム被覆金属缶を詳細に説明する。
【００１９】
本発明の樹脂フィルム被覆金属缶は、適切な樹脂組成のフィルムを被覆した金属板に缶成形を施すことにより、缶成形後の樹脂フィルム表面に適切な形状、量の空孔が生成して、内容物に適度な泡立ちを発生させるとともに、空孔に起因するフレーバー吸着、衝撃割れ、腐食、樹脂剥離、溶解等を抑制することができる。
【００２０】
そして、適切な樹脂組成のフィルムを被覆した本発明の樹脂フィルム被覆金属板は、熱可塑性ポリエステルを主成分とする樹脂フィルムを被覆することにより得られるが、ここで、本発明においては、以下の（１）および（２）の少なくとも一つ以上の条件を満たす、または（１）および（２）の少なくとも一つ以上の条件に加えさらに（３）〜（５）の条件を満たすことを本発明の特徴とする。すなわち、（１）樹脂フィルム表面の面積１ｍｍ2あたり、粒径が０．５〜５μｍの粒子が５００個以上露出している、（２）樹脂フィルム表面の面積１ｍｍ2あたり、粒径が０．５〜５μｍの粒子により形成される突起が５００個以上存在する、（３）樹脂フィルム中の粒子が酸化ケイ素である、（４）樹脂フィルムの最表層の樹脂中には粒径が０．５〜５μｍの粒子を０．０５重量％以上含有し、その膜厚は２μｍ以上１０μｍ以下である、（５）層構造を有した樹脂フィルムであって、その最表層と、その他の層全体の膜厚の比率が、１／１５〜１／２である、である。
【００２１】
なお、ここで、露出とは樹脂に覆われていない部分が一部分でもある状態を、突起とは樹脂に覆われているか覆われていないかに関わらずフィルム表面より上に飛び出た部分が生じた状態である。
【００２２】
また、本発明では、樹脂フィルムは単層であっても２層以上の複数の層構造を有するものであってもよく、２層以上の樹脂層から成る樹脂フィルムを被覆した樹脂フィルム被覆金属板とすることも可能である。ただし、単層の場合はその樹脂に、２層以上の複数の層構造を有する樹脂フィルム被覆金属板の場合は樹脂層のうち最表層に、それぞれ粒子を含有し、前述したように粒子を適切な範囲に規定した本発明の樹脂フィルムとすることが重要である。このように、最表層を制御することにより、缶生成時に粒子による空孔が生成しやすくなり泡立ち性、泡持ち性に対して好ましい。
【００２３】
以上のように、粒子の形態等を適切な範囲とした樹脂フィルムを被覆した樹脂フィルム被覆金属板を用いることにより、缶成形時、樹脂フィルム表面の粒子周囲に微細な空孔が生成し、その部分に気泡核が生成することにより気泡の発生ポイントになり、安定な微細な泡が得られ開缶時に適度な泡立ちが発生することになる。このように安定なサイズの泡を得るために、空孔のサイズと形状および量が適切なものである必要があり、それは本発明の範囲でのみ得られるものである。
【００２４】
特に、ビールの泡は、他の炭酸飲料の泡とは異なり、気泡のサイズと量が泡の安定性に大きな影響を及ぼし、泡が多く発生しても気泡のサイズが大きかったり不ぞろいであったり、また量が少なかったりすると泡の保持性（泡持ち性）が劣る。ビールにおいて、適当な量の泡が長時間保持されるためには、気泡のサイズや気泡中のガス成分等が重要である。この点でも本発明は効果があるといえる。また、空孔のサイズ、形状を最適にすることにより、フレーバー吸着、衝撃割れ、腐食、樹脂剥離、溶解等の問題も解消される。
【００２５】
さらに、特開平５−９７４１９号公報には、内面に断面が略V字状をなす凹部を形成した発泡性液体容器が提案されているが、本発明の空孔の形状はフィルム中の粒子の周囲で空隙が生成するため口が小さく、孔の内部で大きくなるようなつぼ型の形状をとり、V字状に比べはるかに発泡性が高い。
【００２６】
以下に、粒子の限定理由について、説明する。
１）樹脂フィルム中に粒径が０．５〜５μｍの粒子を０．０５重量％以上含有
添加する粒子の大きさ、量は、発生する空孔のサイズ、形状に影響を及ぼし、それらは内容物の泡立ちのみならず、フレーバー吸着、衝撃割れ、溶解等にも影響を与えるため、最適な範囲が存在する。さらに、微小粒子を含有した樹脂フィルムを使用した場合、その粒子が空孔発生の起点となるためフィルム表面の空孔発生数が非常に増加し泡立ち性が高まるため好ましい。このような効果が現れる粒子の粒径は、０．５〜５μｍの範囲のものが適当であり、以上から、本発明では、粒子粒径は、０．５〜５μｍの範囲とする。
【００２７】
粒径が０．５μｍ未満の粒子では気泡を生成するために必要なサイズの空孔が得られない。一方、粒径が５μｍを超える粒子については空孔サイズが大きすぎて安定なサイズの気泡が得られない上、フィルムの加工性や耐衝撃性等の機械的性能を劣化させる。さらに、泡立ちの発生を非常に促進させる点から粒子は、１．５μｍ以上の大きさであることが好ましい。しかし、本発明の範囲を損なわない範囲であれば、粒径０．５μｍ未満および５μｍを超える粒子を含んでいても構わないが、フィルムの機械的性能を劣化させるほかフィルムコストを上昇させるためなるべくそれらの比率が少ないものが好ましく、粒径分布は鋭く、標準偏差０．５以下が好ましい。さらに、粒子の形状は真球に近いものが望ましく、好ましくは長径／短径の比が１．０〜１．２である。なお、粒子の粒径は、楕円体形状のものについては長径と短径の平均を粒径とする。
また、安定なサイズの気泡を得るという効果は０．５〜５μｍの粒子を０．０５重量％以上含有する時に発現し、より好ましくは０．１重量％以上である。また、機械的性能が劣化しないように、粒子量は５重量％以下が好ましい。フィルム外観の点からさらに好ましくは、２重量％以下である。
２）樹脂フィルム面積１ｍｍ2あたり、粒径が０．５〜５μｍの粒子を１０００個以上含有
粒子数が上記範囲未満では、安定なサイズの気泡を得るという効果が不充分である。一方、粒子数の上限は面積１ｍｍ2あたり１０8個を超えないものが好ましく、より好ましくは１０6個を超えないものである。１０8個を超えるものは、内容物によっては泡の発生が過剰となり泡の安定性が低下する可能性がある。
３）面積１ｍｍ2の樹脂フィルム表面に、粒径が０．５〜５μｍの粒子が５００個以上露出  ４）面積１ｍｍ2の樹脂フィルム表面に、粒径が０．５〜５μｍの粒子により形成される突起が５００個以上存在
何れの場合も、露出する粒子数や突起数が上記範囲未満では、安定なサイズの気泡を得るという効果が不充分である。一方、それらの上限は面積１ｍｍ2あたり１０8個を超えないものが好ましく、より好ましくは１０6個を超えないものである。１０8個を超えるものは、内容物によっては泡の発生が過剰となり泡の安定性が低下する可能性がある。
５）粒子が酸化ケイ素
また、樹脂フィルム中に含まれる粒子としては、粒子形状のコントロールをしやすいため泡立ち性に加え他の耐食性等の性能が得やすいこと、内容物に対する安定性、環境適合性が高くフレーバー性に優れること、そしてコスト等の点から酸化ケイ素が最適である。
６）樹脂フィルムの最表層の樹脂中には粒径が０．５〜５μｍの粒子を０．０５重量％以上含有し、その膜厚は２μｍ以上１０μｍ以下
ポリエステル樹脂フィルムの各層において粒子を含有する層は、本質的にフレーバー吸着、衝撃割れ、溶解等の原因になりやすいためできるだけ少ない方が好ましい。そこで、泡立ちにおよぼす粒子含有層の厚さの影響を調査したところ、内容物に接する側の最表層に粒子含有層がある時にフィルム表層に空孔が生じ、泡立ちに効果があることがわかった。また、その粒子含有層の厚さは、２μｍ以上あれば効果が現れ、厚いほど効果が高まる傾向にあるが、１０μｍ以上では効果は飽和し、それ以上厚くすることはフレーバー吸着、衝撃割れ、溶解等の性能を劣化させる。さらに好ましくは、７μｍ以下である。以上より、最表層の膜厚は２μｍ以上１０μｍ以下とするのが好ましい。
７）層構造を有した樹脂フィルムであって、その最表層と、その他の層全体の膜厚の比率が、１／１５〜１／２
樹脂フィルムが２層以上の複数の層構造を有する場合、最表層と、その他の層全体の膜厚の比率は、１／１５〜１／２であることが好ましい。膜厚比が１／１５より小さくなると表面空孔の生成が十分でなく、泡立ち性が低下し、一方１／２を超えると耐衝撃性、加工性が低下する。
【００２８】
以上、本発明の樹脂フィルム被覆金属板は、上記のように粒子の形状を規定した熱可塑性ポリエステルを主成分とする樹脂フィルムを被覆することにより得られる。
【００２９】
なお、本発明の樹脂フィルムは、無延伸で製造されたものが好ましいが、二軸延伸フィルムにおいても本発明に規定する空孔が生成すれば本発明の効果を発現する。特に、延伸時に同じ機構で粒子周辺に空孔が生成することもあり、その場合は泡立ちが無延伸フィルムよりも促進されることになる。
【００３０】
また、本発明の樹脂フィルムを金属板に被覆した後、熱処理を行い、結晶化させることにより缶成形時にフィルム表面に適当な空孔が生成しやすくなり泡立ち性が発現するため、熱処理を行うことが好ましい。熱処理を行うことによりフィルム樹脂の脆性が高まり、缶成形時に粒子周囲に生成する空孔が増加する。その結果、開缶時の泡立ちが促進されることになる。
【００３１】
熱処理は、８０℃から２５０℃の温度領域で行われる。熱処理によりフィルム樹脂の結晶化が進行し、フィルムの脆性が高まる結果、加工によりフィルムに空孔が発生しやすくなる。そのような効果の発生する熱処理温度は、ポリエステル樹脂のガラス転移温度より高く、融点より低い必要があり、その温度範囲は８０℃から２５０℃である。さらに結晶化速度の点から、結晶化しやすい温度：１００℃から１８０℃の範囲で処理を行い、短時間で終了するのが好ましい。
【００３２】
脆性が十分に高まる結晶化度としては、１５％以上を目安とする。それより低いと脆性は十分でない可能性がある。さらに、好ましくは２０％以上であり、脆性は十分高いものとなる。結晶化度の計算方法は、例えば対象フィルムの密度から以下の式で計算される。
【００３３】
Ｘｃ＝ｄｃ×（ｄ−ｄａ）/ｄ/（ｄｃ−ｄａ）×１００
Ｘｃ：結晶化度（％）、ｄ：対象フィルムの密度、ｄｃ：フィルム樹脂が１００％結晶化した時の密度、ｄａ：フィルム樹脂が１００％非晶状態の時の密度
樹脂フィルムがポリエチレンテレフタレート樹脂単相からなる場合、ｄｃ＝１．４６、ｄａ＝１．３４であるから、結晶化度１５％となるフィルムの密度は、１．３６である。
【００３４】
熱処理は、乾燥雰囲気、水蒸気雰囲気等の雰囲気でなされる。乾燥雰囲気での熱処理は、例えば空気中で高温乾燥空気を吹きつけたり、誘導加熱により鋼板の温度を高めることで達成される。一方、水蒸気雰囲気での熱処理は、例えば高温高圧の水蒸気を数秒間フィルム表面に吹きつけることで達成されるが、レトルト殺菌処理のような既存の方法を使用しても良い。水蒸気雰囲気の場合は、熱処理の時に微小な空孔が生じ、缶成形の時にそれを起点として大きな空孔に成長することがあるため効果が乾燥雰囲気に比べ大きい。乾燥雰囲気、水蒸気雰囲気いずれの場合も、熱処理温度は８０℃程度でも十分である。水蒸気雰囲気で熱処理を行う場合の温度は、１５０℃以下の処理で良好な泡立ち性を示すため、８０℃以上１５０℃以下が好ましい。
【００３５】
乾燥雰囲気、水蒸気雰囲気いずれの処理においても、その処理時間は結晶化度が上で述べた範囲に入るように上がるまでの時間で十分である。その処理は、コイルで連続的に行われても、切り板の小サンプルで行なわれても良い。また、処理後の冷却は、空冷、水冷による急冷、または徐冷のいずれでも構わない。
【００３６】
次に、樹脂フィルムの主成分となる熱可塑性ポリエステルについて説明する。
【００３７】
炭酸飲料用缶などの用途で使用されるポリエステル系樹脂フィルムには、以下のような性能が要求される。金属板との密着性に優れ、製缶時の成形加工によるフィルムの伸びや圧縮等の変形、および摩擦によるフィルムの劣化や密着性の低下が無いこと、製缶後の乾燥、印刷焼付け、レトルト殺菌処理等の加熱によって被覆されたフィルムが結晶化または劣化し、フィルムの剥離、収縮、クラック、ピンホール等を生じないこと、缶への衝撃によってフィルムにクラックが発生したり、剥離したりしないこと、各種内容物に接した時に腐食や剥離が生じないこと、フィルムが白濁しないこと等がある。さらに、缶の内容物の香り成分がフィルムに吸着したり、フィルムの溶出成分や臭いによって内容物の風味が損なわれないことも求められる。
【００３８】
上記要求を満足し、本発明で用いられる熱可塑性ポリエステルとしては以下の通りである。熱可塑性ポリエステル樹脂は、その酸成分としては各種の芳香族ジカルボン酸、脂肪族ジカルボン酸が、グリコール成分としては各種の脂肪族ジオール、芳香族ジオールが任意に重合または共重合されたものが用いられ、また２種類以上の組成の異なる共重合ポリエステル樹脂を混合したものが用いられる。
【００３９】
さらに、泡立ち性と他のフレーバー性、耐衝撃性等の観点から缶成形後のフィルム表面の空孔のサイズ、形状が重要であり、樹脂フィルムの組成もそのような空孔発生に影響するので、樹脂フィルムは、適度な加工性と強度を保持していることが必要であり、そのようなポリエステル樹脂の組成としては、酸成分がイソフタル酸５〜１８重量部と残りの主たる部分がテレフタル酸からなるものが最適である。イソフタル酸を適量テレフタル酸に共重合させることにより、テレフタル酸単独や低共重合組成のものよりも結晶化が抑制され加工性が向上し、大きなクラックが発生しにくくなり、機械的性能の劣化が抑制される。イソフタル酸５重量部未満ではそのような効果が不十分で機械的性能が劣る場合がある。一方、イソフタル酸成分が１８重量部以上では融点が低く缶加工の時の熱劣化が起こるため大きなクラック発生、衝撃劣化等が起こる場合がある。なお、ここで、主たる部分がテレフタル酸からなるとは、少なくとも残りの成分中９５％以上がテレフタル酸からなり、下記に示すその他の酸成分量は５％未満である。
【００４０】
テレフタル酸、イソフタル酸以外に使用可能な酸成分としては、フタル酸、１，４−ナフタレンジカルボン酸、２，３−ナフタレンジカルボン酸、２，６−ナフタレンジカルボン酸、２，７−ナフタレンジカルボン酸、４，４´−ビフェニルジカルボン酸、ジフェン酸、ジフェニルエーテルカルボン酸、５−スルホイソフタル酸、ジフェノキシエタンジカルボン酸、アジピン酸、シュウ酸、マロン酸、コハク酸、リンゴ酸、クエン酸、グルタル酸、ダイマー酸、ピメリン酸、スペリン酸、アゼライン酸、セパシン酸、ドデカジオン酸、ｔｒａｎｓ−１，４−シクロヘキサンジカルボン酸などが用いられる。
【００４１】
一方、グリコール成分としては各種の脂肪族ジオール、芳香族ジオールが任意に重合または共重合されたものが用いられ、エチレングリコール、プロピレングリコール、１，４−ブタンジオール、１，３−ブタンジオール、１，２−ブタンジオコール成分としては、ネオペンチルグリコール、ペンタメチレングリコール、ヘキサメチレングリコール、ジエチレングリコール、トリエチレングリコール、テトラエチレングリコール、ポリエチレングリコール、ｔｒａｎｓ−１，４−シクロヘキサンジメタノール、ｃｉｓ−１，４−シクロヘキサンジメタノール、ビスフェノール類、ｐ−キシレングリコール、ハイドロキノン、２，２−ビス（４−β−ヒドロキシエトキシフェニル）プロパン、水添ビスフェノールＡなどが用いられる。特にエチレングリコールおよび／または１，４−ブタンジオールおよび／または１，４−シクロヘキサンジメタノールを主成分としたものが、機械的物性とフレーバー性等のバランスの点から好適である。
【００４２】
すなわち、テレフタル酸とエチレングリコールが主成分のもの、および／またはテレフタル酸およびイソフタル酸とエチレングリコールが主成分のもの、および／またはテレフタル酸とエチレングリコールおよび１、４−ブタンジオール、および／またはテレフタル酸とエチレングリコールおよび１、４−シクロヘキサンジメタノールを主成分とするものが、混合樹脂状態での機械的物性、フレーバー性のバランスの点から特に適する。
【００４３】
さらに、発明の目的を損なわない範囲で、トリメシン酸、ピロメリット酸、トリメチロールエタン、トリメチロールプロパン、トリメチロールメタン、ペンタエリスリトールなどの多官能化合物から誘導される構成単位を少量、たとえば２重量％以下の量で含んでいてもよい。
【００４４】
ここで、熱可塑性ポリエステル樹脂を主成分とするとは、フィルム中の樹脂成分中でポリエステルが７０重量％以上を占めている場合である。それ以外の樹脂成分として変性ポリオレフィンやエラストマー等の衝撃緩和成分を樹脂中で３〜３０重量部の範囲で含有させて耐衝撃性を向上させた樹脂も使用可能である。
【００４５】
また、フレーバー性の点から樹脂中のアセトアルデヒド含有量を１０ｐｐｍ以下とすることが好ましく、より好ましくは７ｐｐｍ以下である。アセトアルデヒド含有量がかかる範囲、特に１０ｐｐｍを越えるとフレーバー性に劣る場合がある。アセトアルデヒド含有量を１０ｐｐｍ以下とする方法は特に限定されるものではない。例えばポリエステル樹脂を重縮合反応等で製造する際の熱分解によって生じるアセトアルデヒドを除去するため、樹脂を減圧下あるいは不活性ガス雰囲気下において、ポリエステルの融点以下の温度で熱処理する方法等によって得られたポリエステル樹脂をフィルムに成形する方法等を挙げることができ、好ましくは樹脂を減圧下あるいは不活性ガス雰囲気下において１５０℃以上、融点以下の温度で固相重合したポリエステル樹脂を用いる方法がよい。
【００４６】
また、本発明のポリエステル樹脂はフレーバー性の点から樹脂中の環状三量体等からなるオリゴマーはより少ない方が好ましい。特に環状三量体の含有量を０．９重量％以下とすることが好ましく、特には０．７重量％以下とすることがより好ましい。樹脂中のオリゴマー含有量がかかる範囲、特に０．９重量％を越えるとフレーバー性に劣る場合がある。オリゴマー含有量を０．９重量％以下とする方法は特に限定されるものではないが、上述のアセトアルデヒド含有量を減少させる方法と同様の方法等を採用することで達成できる。
【００４７】
本発明に用いられるポリエステル樹脂の固有粘度は、０．３〜２．０ｄｌ／ｇ、より好ましくは０．３〜１．５ｄｌ／ｇ、さらに好ましくは０．５〜１．０ｄｌ／ｇである。２．０ｄｌ／ｇを越える場合は、粘度が非常に高いため本発明に使用される粒径が０．５〜５μｍの粒子との混合が著しく困難となり、粒子が均一に分散しない結果、本発明の効果が不充分となる可能性があり、一方、固有粘度が０．３ｄｌ／ｇ未満の場合には粘性が低いために成形性が不良となり、均一なフィルムを製造することが困難となる可能性がある。上記固有粘度は、ＪＩＳ  Ｋ７３６７−５に示される方法で測定され、２５℃のｏ−クロロフェノール中で０．００５ｇ／ｍｌの濃度で測定されたもので、固有粘度＝（Ｔ−Ｔ０）／（Ｔ０＊ｃ）という式によって求められる。式中、ｃは溶液１００ｍｌ当たりの樹脂濃度をグラム数で表わした濃度を、Ｔ０、およびＴは、溶媒、および樹脂溶液の毛細管形粘度計内の流下時間をそれぞれ表す。
【００４８】
さらに、本発明に使用するポリエステル樹脂は、ガラス転移温度（Ｔｇ）が５０〜１００℃、より好ましくは６０〜８０℃であることが望ましい。ガラス転移温度が５０℃未満の場合は、ポリエステル樹脂の耐熱性が劣るため成形時の温度上昇で傷等が入りやすくなり、一方、ガラス転移温度が１００℃を超える場合には逆に加工性に劣ることがある。また、低温結晶化温度（Ｔｃ）については、通常１２０〜２１０℃、好ましくは１４０〜２００℃であり、融点（Ｔｍ）は、通常２１０〜２６５℃、好ましくは２２０〜２６０℃であることが望ましい。低温結晶化温度が１２０℃未満では結晶化が起こりやすいためレトルト殺菌処理（１２０℃程度の高温高湿処理）時等に結晶化が起こりフィルムにクラックが入ったり剥離が生じやすくなる。一方、低温結晶化温度が２１０℃を超えるものはポリエステルの加工性、耐衝撃性等の機械的強度に劣ることがある。融点が２１０℃未満では成形加工時の熱で樹脂が劣化し、クラックやピンホールの発生が起こりやすくなる。一方、融点が一方２６５℃を超えるものは成形加工時の乾燥、印刷焼付等の加熱処理によって結晶化が進行し、やはりクラックやピンホールの発生が起こりやすくなる。上記ガラス転移温度、低温結晶化温度、結晶融解温度は、示差走査熱量計（ＤＳＣ）を用いて昇温時の吸熱ピーク温度を測定したもので、サンプル量１０ｍｇ、昇温速度１０℃／分の条件で測定した値である。
【００４９】
樹脂フィルム中には、滑り性、成形加工性、耐衝撃性等の向上を目的として無機粒子、有機粒子、有機高分子粒子をさらに含有することができる。なお、この無機粒子、有機粒子、有機高分子粒子は、本発明で規定した粒子としての機能を兼ね備えたものであっても良い。無機粒子としては、乾式法および湿式法で製造されたシリカ、多孔質シリカ、コロイド状シリカ、酸化チタン、酸化ジルコニウム、酸化アルミニウム、炭酸カルシウム、タルク、硫酸カルシウム、硫酸バリウム、スピネル、酸化鉄、リン酸カルシウム等が挙げられ、また有機粒子あるいは有機高分子粒子としてはポリスチレン粒子、架橋ポリスチレン粒子、スチレン−アクリル系架橋粒子、アクリル系架橋粒子、スチレン−メタクリル酸系樹脂架橋粒子、メタクリル酸樹脂系架橋粒子などのビニル樹脂系粒子や、シリコーン、ベンゾグアナミン−ホルムアルデヒド、ポリテトラフルオロエチレン、ポリフェニルエステル、フェノール樹脂等を構成成分とする有機高分子粒子を挙げることができる。これら粒子の粒子径、含有量は特に限定されるものではないが、性能を最大限に発揮するためには粒子径は０．０１〜５．０μｍの範囲が好ましく、さらには０．１〜２．５μｍの範囲が好ましい。また、それらの粒径分布は鋭く、標準偏差０．５以下が好ましい。さらに、粒子の形状は真球に近いものが望ましく、好ましくは長径／短径の比が１．０〜１．２である。
【００５０】
さらに、樹脂フィルム中には、本発明の効果を妨げない限り、光安定剤、耐衝撃性改良剤、相溶化剤、滑剤、可塑剤、帯電防止剤、反応触媒、着色防止剤、ラジカル禁止剤、可塑剤、酸化防止剤、末端封鎖剤、熱安定剤、離型剤、難燃剤、抗菌剤、抗黴剤等の添加剤が添加されていても良い。これらの添加剤の含有量としては、本発明では、樹脂１００重量部に対して、０．００５重量部以上１５重量部以下が好ましい。さらに望ましくは０．０１重量部以上２重量部以下、特に望ましくは０．０５重量部以上０．５重量部以下である。０．００５重量部未満では効果が不十分で、一方１５重量部を超えると添加剤が過剰となり樹脂層の機械的性能を低下させる。
【００５１】
反応触媒としては例えばアルカリ金属化合物、アルカリ土類金属化合物、亜鉛化合物、鉛化合物、マンガン化合物、コバルト化合物、アルミニウム化合物等が、着色防止剤としては例えばリン化合物等を挙げることができる。
【００５２】
ラジカル禁止剤としては、フェノール系ラジカル禁止剤、リン系ラジカル禁止剤、スルフィド系ラジカル禁止剤、及び窒素系ラジカル禁止剤から選ばれる１種または２種以上が挙げられる。
【００５３】
可塑剤としては、炭素数２〜２０の脂肪酸多塩基酸またはそのエステル誘導体に対する炭素数８〜２０の芳香族多塩基酸またはそのエステル誘導体のモル比が０〜２．０である多塩基酸成分と、炭素数２〜２０の脂肪族アルコールとを縮重合したものを、炭素数２〜２０の一塩基酸又はそのエステル誘導体及および／または炭素数１〜１８の一価アルコールで末端エステル化したポリエステルからなる可塑剤を挙げることができる。
【００５４】
帯電防止剤としては、成膜工程におけるフィルムのロールへの巻き付きや、フィルム表面への汚れ付着等の静電気障害を防止することを目的として、特開平５−２２２３５７号公報に開示される帯電防止剤等の樹脂組成物中に練り込む方法や、フィルム表面に特開平５−１１６４号公報に記載されている帯電防止剤を塗布する方法などを必要に応じて適用することができる。
【００５５】
抗菌剤としては、特開平１１−４８４３１号公報及び特開平１１−１３８７０２号公報等に開示されている従来公知の抗菌剤を必要に応じて使用することができる。
【００５６】
樹脂中にはポリエステル樹脂の重合触媒を添加することも可能である。重合触媒としては、ゲルマニウム、アンチモン、チタンから選ばれる少なくとも一種以上の元素を１ｐｐｍ以上５００ｐｐｍ以下含有することが好ましい。より好ましくは３ｐｐｍ以上、さらに好ましくは１０ｐｐｍ以上である。ゲルマニウム、アンチモン、チタンから選ばれる少なくとも一種以上の元素量が１ｐｐｍに満たないとフレーバー性向上の効果が十分でない場合があり、５００ｐｐｍを越えるとポリエステルに異物が発生し結晶核剤となり結晶化しやすくなるため、耐衝撃性が悪化したり、耐熱性が低下したりする場合がある。また、これらの元素の中ではフレーバー性の点からゲルマニウム元素が特に好ましい。
【００５７】
ゲルマニウム化合物としては、例えば二酸化ゲルマニウム、結晶水含有水酸化ゲルマニウム等のゲルマニウム酸化物、水酸化物、あるいはゲルマニウムテトラメトキシド、ゲルマニウムテトラエトキシド、ゲルマニウムテトラブトキシド、ゲルマニウムエチレングリコキシド等のゲルマニウムアルコキシド化合物、ゲルマニウムフェノレート、ゲルマニウムβ−ナフトレート等のゲルマニウムフェノキシド化合物、リン酸ゲルマニウム、亜リン酸ゲルマニウム等のリン含有ゲルマニウム化合物、酢酸ゲルマニウム等を挙げることができる。
【００５８】
アンチモン化合物としては、三酸化二アンチモン、三弗化アンチモン、酢酸アンチモン、硼酸アンチモン、ギ酸アンチモン、亜アンチモン酸等を挙げることができる。
【００５９】
チタン化合物としては、二酸化チタン等の酸化物、水酸化チタニウム等の水酸化物、テトラメトキシチタネート、テトラエトキシチタネート、テトラプロポキシチタネート、テトライソプロポキシチタネート、テトラブトキシチタネート等のアルコキシド化合物、テトラヒドロキシエチルチタネート等のグリコキシド化合物、フェノキシド化合物、酢酸塩等の化合物を挙げることができる。
【００６０】
さらに、樹脂フィルム被覆金属板の金属板に接するフィルム最下層は、ポリエステル樹脂中にカルボン酸誘導体変性ポリオレフィン粒状樹脂を５〜３０重量％含有することが好ましい。カルボン酸誘導体変性ポリオレフィン粒状樹脂が添加されることにより、樹脂フィルム金属缶の衝撃割れや加工割れ、密着性低下による腐食発生をさらに抑制させることが可能となる。
【００６１】
ポリエステル樹脂中に混合されるカルボン酸から誘導される官能基を有する変性ポリオレフィン樹脂は、耐衝撃性を向上するとともに、加工性、耐熱性等その他の諸特性には悪影響を与えないようにするため、粒子径が等価球換算計で０．１〜５μｍの粒子の状態で主に存在することが好ましい。また、その変性ポリオレフィン樹脂の全樹脂中の重量比率は５〜３０重量％の範囲にあることが必要である。５重量％未満では耐衝撃性の向上に不十分であり、３０重量％を超えると加工性や耐熱性等の性能を低下させる。
【００６２】
変性ポリオレフィン樹脂のガラス転移温度はポリエステル樹脂の場合と同様の測定方法で０℃以下が望ましい。好ましくは、−３０℃以下である。ガラス転移温度が０℃を超えるものは、耐衝撃性がやや劣り、特に低温の耐衝撃性に劣る。また、さらに室温でのヤング率が２５０ＭＰａ以下、及び破断伸びが２００％以上、より望ましくはヤング率が１００ＭＰａ以下、及び破断伸びが５００％以上であることがより好ましい。分子量は特に限定するものではないが、数平均分子量で２×１０3以上１×１０6以下が好ましい。２×１０3未満や１×１０6超になると、機械的性能に劣り耐衝撃性が低下する場合がある他、成型加工しにくくなる可能性がある。
【００６３】
カルボン酸から誘導される官能基はカルボン酸換算の重量比率で２〜２０重量％、より好ましくは３〜１２重量％含有される。この組成範囲においてポリエステル樹脂との親和性、分散性が最大に高まるからで、変性ポリオレフィン樹脂がマトリックスのポリエステル樹脂と強い親和性を持つほど衝撃時において異樹脂間の相間破壊の緩和効果が高まり、その結果耐衝撃性が高くなるとともに、さらに成型加工時の変性ポリオレフィン粒同士の凝集が抑制される結果成形条件による性能のばらつきが減少する。そのような効果は、官能基のカルボン酸換算の重量比率が２重量％以上で得られ、一方２０重量％を超えるとポリエステル樹脂との親和性が逆に低下する結果、耐衝撃性が劣る。
【００６４】
以下に変性ポリオレフィン樹脂の製造方法を述べる。カルボン酸から誘導される官能基としては、カルボン酸基、カルボン酸エステル基、カルボン酸イオンの金属塩等があり、これらの官能基を含むモノマーをポリオレフィン樹脂中に共重合、グラフト重合、またはブロック重合することにより、カルボン酸変性ポリオレフィンが得られる。
【００６５】
カルボン酸から誘導される官能基を含むモノマーを具体的に挙げると、アクリル酸、メタクリル酸、酢酸ビニル、プロピオン酸ビニル、マレイン酸、無水マレイン酸、イタコン酸、マレイン酸モノメチルエステル等の炭素数３〜８の不飽和カルボン酸、およびそれらの酸の全体または一部がナトリウム、カリウム、リチウム、亜鉛、マグネシウム、カルシウム等の１〜２価の金属陽イオンで中和された金属塩が挙げられる。この中和度は、好ましくは２０〜８０％、さらに好ましくは３０〜７０％であり、このような中和度の変性ポリオレフィン樹脂から形成される組成物は、溶融押出性に優れている。
【００６６】
また、カルボン酸エステルとしては、アクリル酸メチル、メタクリル酸メチル、アクリル酸エチル、メタクリル酸エチル、アクリル酸ｎ−プロピル、メタクリル酸ｎ−プロピル、アクリル酸イソブチル、メタクリル酸イソブチル、アクリル酸ｎ−ブチル、メタクリル酸ｎ−ブチル、アクリル酸２−ヒドロキシエチル、メタクリル酸２−ヒドロキシエチル、マレイン酸モノメチルエステル、アクリル酸グリシジル、メタクリル酸グリシジル、酢酸ビニル、さらにアクリルアミン、アクリルアミド等が挙げられる。
【００６７】
これらのカルボン酸誘導官能基含有モノマーを、エチレン、プロピレン、１−ブテン、１−ペンテン、イソブテン、イソブチレン、ブタジエン、スチレン、アクリロニトリル等のカルボン酸誘導官能基非含有オレフィンモノマーと共重合させるか、ブロック重合またはグラフト重合させることにより、カルボン酸誘導官能基含有変性ポリオレフィン樹脂が得られる。この中でも特に、カルボン酸基がポリオレフィン樹脂中にグラフト重合または共重合されたものが高い性能を示す。このような変性ポリオレフィン樹脂としては、市販の樹脂も使用可能である。たとえば、モディパーＡ（日本油脂（株）社製）、ニュクレル（三井デュポンポリケミカル（株）社製）、ボンダイン（住友化学工業（株）社製）、アドマー（三井化学（株）社製）、タフテック（旭化成（株）社製）等が挙げられる。
【００６８】
また、それらのカルボン酸が一部金属塩で中和されたものも使用可能である。このような樹脂は加工性がやや低下するものの耐衝撃性はより高いものが得られる。市販の樹脂としては、ハイミラン（三井デュポンポリケミカル（株）社製）等が挙げられる。さらに、カルボン酸変性ポリオレフィン樹脂をポリエステル樹脂中に溶融分散させる時に酸化亜鉛や水酸化カルシウム等を添加すると、変性ポリオレフィン樹脂中のカルボキシル基がそれらの金属イオンで中和され、結果的にカルボン酸が一部金属塩で中和されたカルボン酸変性ポリオレフィン樹脂がポリエステル樹脂中に分散する構造をとるものが得られる。
【００６９】
変性ポリオレフィン樹脂をポリエステル樹脂中に分散させることにより原料となる混合樹脂が得られる。分散の方法としては、たとえば２つの樹脂を溶融して混合し、１相になる温度に保った後に２相に分離する温度まで冷却して相分離を利用してポリエステル樹脂相中に変性ポリオレフィン樹脂相を分散させる方法や、２つの樹脂を共通の溶媒に溶解させた後溶媒を蒸発させる方法、あらかじめ１次粒径を１μｍ以下に微細化した変性ポリオレフィン樹脂をポリエステル樹脂中で凝集しない温度で溶融させて分散させる方法、あらかじめ１次粒径を１μｍ以下に微細化した変性ポリオレフィン樹脂とポリエステル樹脂構成モノマーを含む溶液中においてモノマーを重合させポリエステル樹脂を製造するとともに変性ポリオレフィン樹脂がポリエステル中に分散した状態にする方法、さらに２つの樹脂を溶融混合して機械的なせん断力で変性ポリオレフィン樹脂を微細化する方法等があり、いずれの方法も可能である。
【００７０】
混合、溶融する装置としては、タンブラーブレンダー、ヘンシェルミキサー、Ｖ形ブレンダーなどの混合装置や、１軸または２軸の押出機、ニーダー、バンバリーミキサーなどの溶融混合装置が使用でき、その際、混合装置の温度管理や温度変化等の温度制御を通常の混合方法に比べ厳しくしたり、混合時間を通常の混合時間に比べて例えば３倍〜１０倍程度長くしたり、混合時の機械的なせん断速度を通常の速度に比べて、例えば２倍〜５倍程度速くしたりなどすることで、あるいはそれらを組み合わせて、たとえばタンブラーブレンダーで機械的に混合した後に押出機で溶融混合することにより、熱可塑性ポリエステル樹脂中に粒子径が０．１〜５μｍの粒状の変性ポリオレフィン樹脂をあらかじめ分散させた分散性の高い混合樹脂が得られる。押出機で溶融混合することで得た分散性の高い混合樹脂をフィルム成形することで、より変性ポリオレフィン樹脂の粒径が揃った樹脂フィルムが得られ、その結果耐衝撃性等の性能も高まる。このような粒径が揃い、分散性の高い混合樹脂を押出し機に挿入で溶融してフィルム成形することで、フィルム成形しながら変性ポリオレフィン樹脂を分散させるよりも、はるかに粒状樹脂の粒径分布が狭まり、その結果各種性能において優れた性能を発揮できるフィルムが得られる。
【００７１】
以上、上記組成の樹脂フィルムを被覆した金属板を缶成形することにより、適切なサイズ、形状の空孔が得られ、内容物の泡立ち性が優れるとともに、金属板との密着性に優れ、製缶時の成形加工によるフィルムの伸びや圧縮等の変形、および摩擦によるフィルムの劣化や密着性の低下が無い缶が得られる。また、製缶後の乾燥、印刷焼付け、レトルト殺菌処理等の加熱によって被覆されたフィルムが結晶化または劣化しそれによりフィルムの剥離、収縮、クラック、ピンホール等を生じたりするのを防止し、また缶への衝撃によってフィルムにクラックが発生したり、剥離したりせず、さらに各種内容物に接した時に腐食や剥離が生じず、フィルムが白濁しない缶が得られる。さらに、缶の内容物の香り成分がフィルムに吸着したり、フィルムの溶出成分や臭いによって内容物の風味が損なわれない。
【００７２】
次いで、樹脂フィルム被覆金属板について説明する。以上により得られた樹脂フィルムを被覆して樹脂フィルム被覆金属板を得る。本発明の金属板は特に限定されないが、成形性の点で鉄及びアルミニウムを素材とする金属板が好ましい。鉄を素材とする金属板の場合、その表面に樹脂密着性や耐食性を改善するため、無機酸化物皮膜層、例えばクロム酸処理、リン酸処理、クロム酸／リン酸処理、電解クロム酸処理、クロムクロメート処理などで代表される化成処理被覆層を設けてもよい。また、展延性金属メッキ層、例えばニッケル、スズ、亜鉛、アルミニウム、砲金、真ちゅうなどのメッキ層を設けてもよい。また、スズメッキの場合は、０．５〜１５ｇ／ｍ2、ニッケルまたはアルミニウムの場合１．８〜２０ｇ／ｍ2のメッキ量を有するものが加工性および樹脂密着性の点から特に好ましい。このような金属板は、厚さが、通常０．０１〜５ｍｍ、好ましくは０．１〜２ｍｍである。そして、金属板片面または両面上に、本発明の樹脂組成物層を被覆した樹脂被覆層が形成される。
【００７３】
さらに、鉄を素材とする金属板の場合、電解クロメート処理鋼板が、本発明の樹脂フィルムとの密着性、耐食性、製造コストの観点から特に好ましい。金属クロム層の金属クロム量は５０〜２００ｍｇ／ｍ2が適当であり、５０ｍｇ／ｍ2未満では耐食性、加工後密着性が不十分な場合があり、２００ｍｇ／ｍ2を超えると耐食性、加工後密着性の向上効果が飽和し、逆に製造コスト上昇するからである。また、クロム酸化物中のクロム量の金属クロム換算量は３〜３０ｍｇ／ｍ2が適当で、３ｍｇ／ｍ2未満になると密着性が劣る場合があり、３０ｍｇ／ｍ2を超えると色調が悪化する他、密着性も劣るからである。
【００７４】
また、本発明においては、本発明の効果を妨げない限り、プライマー層を金属板と樹脂フィルムとの間に密着層として設けても良い。本発明の樹脂フィルム被覆金属板は、樹脂層と金属板の一次密着性、加工後密着性とも優れたものであるが、より厳しい腐食環境、あるいはより優れた密着性が要求される環境下では、プライマー層を設けて、要求に応じた特性を付与できる。例えば、金属缶として使用する場合、より腐食性の強い内容物を充填すると、樹脂層を通して、内容物が金属板との界面に侵入し、金属板を腐食させ、フィルムとの密着性が劣化する可能性がある。このような場合、適切なプライマー層を設けることにより樹脂層の剥離を防ぐことが可能となる。
【００７５】
プライマーの種類は特に限定されるものではないが、公知のプライマー層を用いることも可能である。例えば、特公昭６０−１２２３３号公報に開示されるポリエステル樹脂系の水系分散剤、特公昭６３−１３８２９号公報に開示されるエポキシ系プライマー、特開昭６１−１４９３４１号公報に開示される各種官能基を有する重合体等が挙げられる。また、プライマー層の形成方法は特に限定されるものではないが、金属板にプライマー塗料を塗布−乾燥、あるいは、本発明のフィルムにプライマー塗料を塗布−乾燥してもよく、あるいは金属板にプライマーフィルムを被覆しても良いし、さらには、本発明のフィルムとプライマー層を貼り合わせたフィルムを被覆しても良い。
【００７６】
樹脂フィルム被覆金属板を製造する方法については公知の方法が使用できるが、特にポリエステル樹脂の融点−７０℃〜融点＋３０℃の範囲に加熱した金属板に、回転するロールによって樹脂フィルムを押し付けて被覆する方法が好ましい。
【００７７】
次いで、本発明の樹脂フィルム被覆金属缶について説明する。本発明の樹脂フィルム被覆金属缶は、金属板と熱可塑性ポリエステルを主成分とする樹脂フィルムから成り、缶内面側には、本発明で規定される樹脂フィルムが被覆されている。また、本発明において、「缶」とは、缶胴、缶蓋、缶底のいずれか一部位以上を使用した場合（全部使用した場合も含む）である。
本発明の樹脂フィルム被覆金属缶は、適度な泡立ち性の発現という点から面積１ｍｍ2あたり粒径が０．５〜５μｍの粒子を５００個以上含有、もしくは面積１ｍｍ2のフィルム表面に直径０．５〜５μｍの空孔が３００個以上存在、もしくは０．５〜５μｍの粒子により形成される空孔が３００個以上存在することが好ましい。空孔が３００個未満では泡立ち性の効果が不十分である。一方、空孔の個数の上限は面積１ｍｍ2あたり１０8個を超えないものが好ましく、より好ましくは１０6個を超えないものである。１０8個を超えるものは、内容物によっては泡の発生が過剰となり泡の安定性が低下する可能性がある。
なお、ここで規定する空孔とは缶内面の内容物に接触する側のフィルム表面に生じた空孔であり、フィルムを貫通するものやフィルム内部や金属側に生成したものは含まない。またその直径とは、フィルム表面に生じた空孔の長径と短径の平均値とする。このような空孔には大きいものや小さいものがあるが、本発明においては、規定される０．５〜５μｍの直径の空孔数が規定量以上であるものが好ましく、その場合はそれ以外の直径の空孔は空孔数には数えない。
【００７８】
また、フィルム被覆金属缶にはその成形手段により、空孔の多い場所と少ない場所が生じ、ツーピース缶の場合一般には缶の底よりも缶の胴のより上部に近い部分で多いことが一般的である。その場合、本発明での空孔の数については缶胴の最も空孔数の多い部分で規定するものとする。
【００７９】
空孔や粒子の数は、光学顕微鏡や電子顕微鏡等の既存の観察機器でフィルム表面を観察し、規定面積中の数を数えることやコンピューターによる画像処理により自動的に数える方法が使用できる。また、面積１ｍｍ2中の空孔や粒子の数は、１ｍｍ×１ｍｍの範囲の全数を数える他に、１００μｍ×１００μｍの範囲の数を１００倍したもので計算しても良い。
【００８０】
さらに、上記において、樹脂フィルムを２層以上の樹脂層とすることも可能である。ただし、この場合は、樹脂層のうち最上層は粒子を含有し上記で規定した樹脂フィルムとする。このように、金属板に接しない側の最表面層を制御することにより、粒子による空孔が生成しやすくなり泡立ち性、泡持ち性に対して好ましい。
【００８１】
樹脂フィルム被覆金属缶の製造については、公知の方法を使用できる。側面継ぎ目を有するスリーピース缶としての適用も可能であるが、より好ましくはシームレスタイプのツーピース缶であり、絞り・再絞り加工、絞り・再絞りによる曲げ伸ばし加工（ストレッチ加工）、絞り・再絞りによる曲げ伸ばし・しごき加工、絞り・しごき加工等を用いて成型することが可能である。また、再絞りにより曲げ伸ばし加工、および／またはしごき加工を行って缶胴を薄肉化する薄肉化深絞り缶や絞りしごき缶（ＤＩ缶）のような成形においては、缶胴の最も薄い部分の板厚がもとの金属板の３０〜８０％、さらには４０〜６０％にまで薄肉化されたものが好ましい。
【００８２】
樹脂フィルム被覆金属缶に対して熱処理を行うとさらに性能が向上する。熱処理は、８０℃から２５０℃の温度領域で行われる。熱処理によりフィルム樹脂の結晶化が進行し、缶成形時に生成した空孔が大きくなるとともに安定化して衝撃や割れに対し耐久性を持つようになるからである。そのような効果は、ポリエステル樹脂のガラス転移温度より高く、融点より低い必要があり、その温度範囲は８０℃から２５０℃である。さらに結晶化速度の点から、１００℃から２２０℃の範囲では結晶化しやすいため処理が短時間で終了するので好ましい。
【００８３】
性能が十分に高まる結晶化度としては、３０％以上を目安とする。それより低いと安定性が不十分となる可能性がある。さらに、好ましくは４０％以上であり、安定性は十分高いものとなる。結晶化度の計算方法は、前記の通りである。
【００８４】
熱処理は、乾燥雰囲気、水蒸気雰囲気のいずれでなされても構わない。乾燥雰囲気での熱処理は、例えば空気中で高温乾燥空気を吹きつけたり、誘導加熱により鋼板の温度を高めることで達成される。一方、水蒸気雰囲気での熱処理は、例えば高温高圧の水蒸気を数秒間フィルム表面に吹きつけることで達成されるが、レトルト殺菌処理のような既存の方法を使用しても良い。乾燥雰囲気、水蒸気雰囲気いずれの処理においても、その処理時間は結晶化度が上で述べた範囲に入るように上がるまでの時間で十分である。
【００８５】
缶の用途としては、充填した飲料が開缶した時に泡立つという特徴を最大限に生かせるように、炭酸飲料、特にビール、発泡酒等の発酵を利用した飲料を充填して飲用に供することが好ましい。しかし、このような用途では、前記樹脂フィルム被覆金属缶に飲料を充填する時に、泡が発生して充填した飲料が缶より溢れる可能性があり、その場合は充填不可となり問題となる場合がある。そのため、この樹脂フィルム被覆金属缶においては、缶または炭酸飲料を８℃以下に冷却して充填することにより、泡が発生しにくくなり充填時の泡立ちを抑制することができる。望ましくは、缶、飲料ともに冷却するほうが良い。また、好ましくはさらに低温であれば泡立ちをさらに抑制でき、５℃、さらには２℃以下の充填が好ましい。
【００８６】
また、前記樹脂フィルム被覆金属缶に炭酸飲料を充填する時に、缶の内面を液体で濡らしてから充填することにより、さらに泡立ちが抑制できる。液体としては、炭酸飲料に含まれる成分である水、またはアルコール飲料であればエタノール、またはその飲料そのもので濡らしておくことが好ましい。
【実施例１】
【００８７】
表１に示す配合で、球状シリカまたは炭酸カルシウムと、テレフタル酸とイソフタル酸比率が９０：１０のエチレンフタレート−エチレンイソフタレート共重合樹脂（固有粘度０．６ｄｌ／ｇ、Ｔｇ７０℃、Ｔｃ１７０℃、Ｔｍ２３０℃、Ｇｅ含有量１０ｐｐｍ）を押出し機に供給し、１軸押出し機でＴダイより押出し、冷却ドラムを使用して２５μｍの厚みの無延伸樹脂フィルムを作製した。
【００８８】
実施例４については、無延伸フィルム作成後縦に３倍横方向に３倍延伸して、２軸延伸フィルムを作製した。実施例５については、１軸押出し機２台を使用し、一方には球状シリカと、テレフタル酸とイソフタル酸比率が９０：１０のエチレンフタレート−エチレンイソフタレート共重合樹脂を、もう１台にはテレフタル酸とイソフタル酸比率が９０：１０のエチレンフタレート−エチレンイソフタレート共重合樹脂のみを供給し、フィードブロック型Ｔダイを用いて共押出して上層のみにシリカを含む２層無延伸フィルムを作製した後、縦に３倍横方向に３倍延伸して、２層２軸延伸フィルムを作製した。
【００８９】
また、実施例１３については、１軸押出し機２台を使用し、一方には球状シリカと、テレフタル酸とイソフタル酸比率が９０：１０のエチレンフタレート−エチレンイソフタレート共重合樹脂を、もう１台にはテレフタル酸とイソフタル酸比率が９０：１０のエチレンフタレート−エチレンイソフタレート共重合樹脂のみを供給し、フィードブロック型Ｔダイを用いて共押出して上層のみにシリカを含む２層無延伸フィルムを作製した。
【００９０】
金属板としては、薄肉化深絞り缶用として厚さ０．１８ｍｍ、テンパー度ＤＲ９、金属クロム層８０ｍｇ／ｍ2、クロム酸化物層１５ｍｇ／ｍ2（金属クロム換算）のティン・フリー・スチール（以下ＴＦＳと略す）を用い、前記のようにして得られた樹脂フィルムを誘導加熱方式で加熱した前記各金属板の両面に熱圧着した後、水中急冷する熱接着法で樹脂フィルム被覆金属板を得た。
【００９１】
ここで、樹脂フィルム中に分散する粒子の粒径は、単層フィルムについてはフィルムを７００℃で約５時間加熱し、ＰＥＴを燃焼させ、残渣の粒子についてＳＥＭを用い、その長径および短径を一つ一つ測定して、粒径を算出した。２層フィルムについては、最表層のみを切削装置で削りだして、最表層中の粒子のみを上記方法で測定した。
空孔や粒子の数は、ＳＥＭでフィルム表面を観察し、任意のフィルム表面の少なくとも１０ヶ所において１００μｍ×１００μｍの範囲の該当する数を数え、その平均値を１００倍したものを面積１ｍｍ2中の空孔や粒子の数とした。また、突起数や露出粒子数は、表面からその大きさが０．５〜５μｍであることが確認できるもののみを数え、さらに粒子が露出したものは全て突起にも含めた。
【００９２】
以上から得られた樹脂被覆金属板について、以下のようにして薄肉化深絞り缶を製造し、薄肉化深絞り缶の適正を評価した。
１．製缶加工
樹脂被覆金属板を、以下の条件で第一段絞り、再絞りを行い薄肉化深絞り缶を得た。
・第一段絞り
ブランク径…１５０〜１６０ｍｍ
１段絞り  …絞り比１．６５
・再絞り
第１次再絞り…絞り比：１．２５
第２次再絞り…絞り比：１．２５
再絞り工程のダイスコーナー部の曲率半径：０．４ｍｍ
再絞り時のしわ押さえ加重…３９２２７Ｎ（４０００ｋｇ）
・缶胴部の平均薄肉化率
成形前の樹脂被覆金属板の厚さに対し４５〜６０％
２．歪取り熱処理
製缶加工に伴い導入されたフィルムの加工歪をフィルム融点２３０℃の熱環境下で３０秒間加熱保持した後に急冷した。
ここで、得られた薄肉化深絞り缶の缶内面フィルムの空孔や粒子の数については、最も空孔や粒子の数が多い部分を缶胴においてＳＥＭで観察して探し出し、その部分についてＳＥＭでフィルム表面を観察し、任意のフィルム表面の少なくとも１０ヶ所において１００μｍ×１００μｍの範囲の該当する数を数え、その平均値を１００倍したものを面積１ｍｍ2中の空孔や粒子の数とした。また、突起数や露出粒子数は、表面からその大きさが０．５〜５μｍであることが確認できるもののみを数え、さらに粒子が露出したものは全て突起にも含めた。
３．薄肉化深絞り缶適性の評価
・加工性
フィルムの損傷を伴うことなく製缶加工できる限界によって、下記のごとく評価した。なお、合格は○以上の評価のものである。
限界加工度（薄肉化率）    ：評価
薄肉化率４５％の成形不可  ：××（劣）
薄肉化率４５％まで成形可  ：×    ↑
薄肉化率５０％まで成形可  ：△
薄肉化率５５％まで成形可  ：○    ↓
薄肉化率６０％まで成形可  ：◎  （優）
・耐衝撃性評価
歪取り熱処理を施した缶体（薄肉化率５５％）にネック加工を施し、缶体中に、蒸留水を充填して蓋を取りつけ巻き締めた後、缶底において、３０ｃｍの高さから０．５ｋｇの鉄球を落下させて衝撃を与えた。次に蓋をあけ、缶内部に、被衝撃部が浸るように、１％食塩水を充填し、５分浸漬後、液中に浸した白金電極と缶金属部に６Ｖの負荷をかけ、電流値を読み取り、以下のように評価した。なお、合格は○以上の評価のものである。
【００９３】
試験結果                                ：評価
電流値が３ｍＡ以上                      ：××  （劣）
電流値が１ｍＡ以上〜３ｍＡ未満          ：×      ↑
電流値が０．５ｍＡ以上〜１ｍＡ未満      ：△
電流値が０．１ｍＡ以上〜０．５ｍＡ未満  ：○      ↓
電流値が０．１ｍＡ未満                  ：◎    （優）
・泡立ち性
歪取り熱処理を施した缶体の内面を洗浄し、ビール（サッポロ黒ラベル）を充填後、炭酸ガスを内圧１ｋｇ／ｃｍ2になるように充填し、５℃で１２０時間冷却した後、２０℃の室内で開缶し１５秒後のビール表面の泡立ち性を以下の基準で評価した。
試験結果                                              ：評価
泡が液面を完全に覆わない                              ：×    （劣）
厚さ２ｍｍ未満の泡が液面をほぼ完全に覆う              ：△      ↑
厚さ２ｍｍ以上１０ｍｍ未満の泡が液面を完全に覆う      ：○
厚さ１０ｍｍ以上２０ｍｍ未満の泡が液面を完全に覆う    ：◎      ↓
厚さ２０ｍｍ以上の泡が液面を完全に覆う                ：◎◎  （優）
・泡持ち性
歪取り熱処理を施した缶体の内面を洗浄し、ビール（サッポロ黒ラベル）を充填後、炭酸ガスを内圧１ｋｇ／ｃｍ2になるように充填し、５℃で１２０時間冷却した後、２０℃の室内で開缶し、ビール表面の泡立ちが液面の中で切れ目を生じ完全に覆わなくなるまでの時間を測定し以下の基準で評価した。
試験結果              ：評価
１分以内              ：×    （劣）
１分超〜１０分        ：△      ↑
１０分超〜２０分      ：○
２０分超〜３０分      ：◎      ↓
３０分超              ：◎◎  （優）
得られた結果を条件と併せて表１に示す。
【００９４】
【表１】
0004604578.tif 000002
【００９５】
表１によれば、本発明例では、加工性、耐衝撃性、泡立ち性、泡持ち性、全てに優れた樹脂フィルム被覆金属缶を得ることができる。一方、比較例では、泡立ち性、泡持ち性が劣っている。
【実施例２】
【００９６】
表２−No１の２層フィルムについては、１軸押出し機２台を使用し、一方には、表２に示す配合で、イソフタル酸共重合ポリエチレンテレフタレート樹脂（固有粘度０．６ｄｌ／ｇ、Ｇｅ含有量１０ｐｐｍ）と、球状シリカのフィルム中含有量が表２に示す濃度になるようにそれらの粒子を含有する適当量の樹脂の混合物を押出し機に供給し、もう１台にはイソフタル酸共重合ポリエチレンテレフタレート樹脂のみを供給し、フィードブロック型Ｔダイを用いて共押出して上層（金属板に被覆した時の最表層）のみに粒子を含む２層無延伸フィルムを作製した。ここで、樹脂フィルム中に分散する粒子の粒径は、フィルムを７００℃で約５時間加熱し、ＰＥＴを燃焼させ、残渣の粒子についてＳＥＭを用い、その長径および短径を一つ一つ測定して、粒径を算出した。
【００９７】
表２−No２〜２０、２２〜２９の２層フィルムについては、１軸押出し機１台と２軸押出し機１台を使用し、１軸押出し機には球状シリカまたは炭酸カルシウムを含有する樹脂と、前記イソフタル酸共重合ポリエチレンテレフタレート樹脂の混合物を、２軸押出し機には前記イソフタル酸共重合ポリエチレンテレフタレート樹脂と表２に示す亜鉛含有アイオノマー樹脂（三井デュポン社製ハイミラン）またはメタクリル酸変性ポリエチレン（三井デュポン社製ニュクレル）を供給し、フィードブロック型Ｔダイを用いて共押出して上層（金属板に被覆した時空気側の層）のみに粒子を含む２層無延伸フィルムを作製した。
【００９８】
表２−No２１の３層フィルムについては、１軸押出し機２台と２軸押出し機１台を使用し、一方の１軸押出し機には球状シリカを含有する樹脂と、前記イソフタル酸共重合ポリエチレンテレフタレート樹脂の混合物（表２における空気側最表層）を、もう１本の１軸押出し機には前記イソフタル酸共重合ポリエチレンテレフタレート樹脂のみ（表２に明記しない中間層）を、２軸押出し機には前記イソフタル酸共重合ポリエチレンテレフタレート樹脂と表中に示す亜鉛含有アイオノマー樹脂（三井デュポン社製ハイミラン）（表２におけるその他の層）を供給し、フィードブロック型Ｔダイを用いて共押出して上層（金属板に被覆した時の空気側最表層）のみに粒子を含む３層無延伸フィルムを作製した。なお、表２におけるNo２１の膜厚Ａ／Ｂは、空気側最表層膜厚／（その他の層の膜厚＋中間層の膜厚）である。
【００９９】
また、表２−No２３の樹脂フィルムについては、前記イソフタル酸共重合ポリエチレンテレフタレート樹脂（球状シリカを含有する）無延伸フィルム作成後に縦に３倍横方向に３倍延伸して、２軸延伸した後１７０℃で熱処理して２軸延伸フィルムを作製した。
【０１００】
表２−比較例１〜４の製造方法も、実施例と同様に行なった。
【０１０１】
樹脂フィルム作製後に金属板に被覆することにより、樹脂フィルム被覆金属板を作製した。金属板としては、薄肉化深絞り缶用として厚さ０．１８ｍｍ、テンパー度ＤＲ９、金属クロム層８０ｍｇ／ｍ2、クロム酸化物層１５ｍｇ／ｍ2（金属クロム換算）のティン・フリー・スチール（以下ＴＦＳと略す）を用い、前記のようにして得られた樹脂フィルムを誘導加熱方式で加熱した前記各金属板の両面に熱圧着した後、水中急冷する熱接着法で樹脂フィルム被覆金属板を得た。
【０１０２】
以上から得られた熱処理後の樹脂フィルム被覆金属板について、実施例１と同様の方法で（ただし、下記に示す、缶胴部の平均薄肉化率および歪取り熱処理を除く）、薄肉化深絞り缶を製造し、薄肉化深絞り缶としての適性を評価した。なお、加工性、耐衝撃性、泡立ち性、泡持ち性については実施例１と同様の方法で、耐食性およびフレ−バ−性については下記の方法で行った。
１．製缶加工
缶銅部の平均薄肉化率：成刑前の樹脂被覆金属板の厚さに対し４０〜５５％
歪取り熱処理
製缶加工に伴い導入されたフィルムの加工歪を（フィルム融点−２０）℃の熱環境下で２０秒間加熱保持した後に急冷することにより取り除き、各性能評価に供した。
【０１０３】
得られた薄肉化深絞り缶の缶内面フィルムの空孔数については、歪取り熱処理を施した缶体（薄肉化率５０％）において最も空孔の数が多い部分を缶胴からＳＥＭで観察して探し出し、その部分についてＳＥＭでフィルム表面を観察し、任意のフィルム表面の少なくとも１０ヶ所において１００μｍ×１００μｍの範囲の該当する数を数え、その平均値を１００倍したものを面積１ｍｍ2中の空孔数とした。
２．薄肉化深絞り缶適性の評価
・耐食性
歪取り熱処理を施した缶体（薄肉化率５０％）にネック加工を施し、缶体中に、ビール（サッポロ黒ラベル）を充填して蓋を取りつけ巻き締めた後、５℃に冷却した後、缶底を下にして３０ｃｍの高さから落下させて衝撃を与えた。その後４０℃の雰囲気で３０日間保持した後に、缶内のビール中の鉄溶出量を測定してその溶出量により耐食性を評価した。なお、合格は○以上の評価のものである。
試験結果                                        ：評価
鉄溶出量が１．０ｐｐｍ以上                      ：××  （劣）
鉄溶出量が０．５ｐｐｍ以上〜１．０ｐｐｍ未      ：×      ↑
鉄溶出量が０．２ｐｐｍ以上〜０．５ｐｐｍ未満    ：△
鉄溶出量が０．１ｐｐｍ以上〜０．２ｐｐｍ未満    ：○      ↓
鉄溶出量が０．１ｐｐｍ未満                      ：◎    （優）
・フレーバー性
歪取り熱処理を施した缶体（薄肉化率５０％）の内面を洗浄した後、香料水溶液（ｄ−リモネン２０ｐｐｍ水溶液）を入れ、密封後３５℃で２０日間放置し、その後開封して缶内部を水で洗浄した後にエーテル浸漬で抽出されるリモネン量をガスクロマトグラフィーにより１缶当りのｄ−リモネンの吸着量とし、味特性を評価した。合格は○以上の評価のものである。
試験結果                                          ：評価
吸着量２００μｇ／缶を超えるもの                  ：×    （劣）
吸着量１００μｇ／缶を超えて２００μｇ／缶以下    ：△      ↑
吸着量３０μｇ／缶を超えて１００μｇ／缶以下      ：○
吸着量１０μｇ／缶を超えて３０μｇ／缶以下        ：◎      ↓
吸着量１０μｇ／缶以下                            ：◎◎  （優）
得られた結果を条件と併せて表２に示す。
【０１０４】
【表２】
0004604578.tif 000003
【０１０５】
表２によれば、本発明例では、加工性、耐衝撃性、耐食性、フレーバー性、泡立ち性、泡持ち性、全てに優れた樹脂フィルム被覆金属缶を得ることができる。一方、比較例では、泡立ち性、泡持ち性が劣ることがわかる。
【０１０６】
表２のNO１の缶について、歪取り熱処理を施した後（薄肉化率５０％）内面を洗浄し、表２で示す条件下で、ビール（サッポロ黒ラベル）を缶壁を沿わせながら注いだ。ビールを注いだ後５秒後の液面におけるビール泡立ち量を以下の基準で評価した。
試験結果                                ：評価
厚さ３０ｍｍ以上の泡が発生              ：×    （劣）
厚さ５ｍｍ以上３０ｍｍ未満の泡が発生    ：△      ↑
厚さ１ｍｍ以上５ｍｍ未満の泡が発生      ：○
厚さ１ｍｍ未満の泡が発生                ：◎      ↓
泡が全く発生しない                      ：◎◎  （優）
得られた結果を条件と併せて表３に示す。
【０１０７】
【表３】
0004604578.tif 000004
【０１０８】
表３によれば、缶またはビールを８℃以下に冷却して充填することにより、泡が発生しにくくなり充填時の泡立ちを抑制することができる。望ましくは、缶、ビールともに冷却するほうが良い。また、好ましくはさらに低温であれば泡立ちをさらに抑制でき、５℃、さらには２℃以下の充填が良好である。
【０１０９】
また、ビールを充填する時に、缶の内面を水またはビールで濡らしてから充填することにより、さらに泡立ちが抑制できることがわかる。
【実施例３】
【０１１０】
表４−No１〜７、９、１１、１３〜１４の樹脂フィルムについては、表４に示す配合で、テレフタル酸とイソフタル酸比率が９０：１０のイソフタル酸共重合ポリエチレンテレフタレート樹脂（固有粘度０．６ｄｌ／ｇ、Ｔｇ７０℃、Ｔｃ１７０℃、Ｔｍ２３０℃、Ｇｅ含有量１０ｐｐｍ）と、必要に応じ球状シリカまたは炭酸カルシウムのフィルム中含有量が表に示す濃度になるようにそれらの粒子を含有する適当量の樹脂を押出し機に供給し、１軸押出し機でＴダイより溶融押出し、冷却ドラムを使用して２５μｍの厚みの無延伸樹脂フィルムを作製した。ここで、樹脂フィルム中に分散する粒子の粒径は、フィルムを７００℃で約５時間加熱し、ＰＥＴを燃焼させ、残渣の粒子についてＳＥＭを用い、その長径および短径を一つ一つ測定して、粒径を算出した。
【０１１１】
表４−No７の２層フィルムについては、１軸押出し機１台と２軸押出し機１台を使用し、１軸押出し機には球状シリカを含有する樹脂と、前記イソフタル酸共重合ポリエチレンテレフタレート樹脂の混合物を、２軸押出し機には前記イソフタル酸共重合ポリエチレンテレフタレート樹脂と変性量１５％の亜鉛含有アイオノマーを供給し、フィードブロック型Ｔダイを用いて共押出して上層（金属板に被覆した時空気側の層）のみにシリカを含む２層無延伸フィルムを作製した。
【０１１２】
表４−No１０、１２の樹脂フィルムについては、前記イソフタル酸共重合ポリエチレンテレフタレート樹脂無延伸フィルム作製後に縦に３倍横方向に３倍延伸して、２軸延伸した後１７０℃で熱処理して２５μｍの厚みの２軸延伸フィルムを作製した。
【０１１３】
表４−No８の２層フィルムについては、１軸押出し機２台を使用し、一方には球状シリカを含有する樹脂と、前記イソフタル酸共重合ポリエチレンテレフタレート樹脂の混合物を、もう１台には前記イソフタル酸共重合ポリエチレンテレフタレート樹脂のみを供給し、フィードブロック型Ｔダイを用いて共押出して上層（金属板に被覆した時空気側の層）のみにシリカを含む２層無延伸フィルムを作製後に縦に３倍横方向に３倍延伸して、２軸延伸した後１７０℃で熱処理して２５μｍの厚みの２層の２軸延伸フィルムを作製した。
【０１１４】
表４−比較例No１〜３の製造方法も、実施例と同様に行なった。
【０１１５】
樹脂フィルム作製後に金属板に被覆することにより、樹脂フィルム被覆金属板を作製した。金属板としては、薄肉化深絞り缶用として厚さ０．１８ｍｍ、テンパー度ＤＲ９、金属クロム層８０ｍｇ／ｍ2、クロム酸化物層１５ｍｇ／ｍ2（金属クロム換算）のティン・フリー・スチール（以下ＴＦＳと略す）を用い、前記のようにして得られた樹脂フィルムを誘導加熱方式で加熱した前記各金属板の両面に熱圧着した後、水中急冷する熱接着法で樹脂フィルム被覆金属板を得た。
【０１１６】
また、一部については、樹脂フィルム被覆金属板作製後に熱処理を行なった。乾燥雰囲気のものは、所定の温度に保った焼付炉中に樹脂被覆金属板を所定時間入れた後、室温雰囲気で冷却して行なった。一方、水蒸気雰囲気のものは、レトルト殺菌処理設備を使用し、所定の温度に保ったレトルト設備中に樹脂被覆金属板を所定時間入れた後、室温雰囲気で冷却して行なった。
【０１１７】
熱処理後の結晶化度は、密度法によって測定した。フィルム被覆金属板を１０％塩酸浸漬に浸漬することによりフィルムを金属板より剥離し、フィルム密度を密度勾配管を使用して測定した。フィルム密度から結晶化度を算出する方法は前記の方法を用いた。
【０１１８】
以上から得られた熱処理後の樹脂フィルム被覆金属板について、実施例１と同様の方法で（ただし、下記に示す缶銅部の平均薄肉化率および歪取り熱処理を除く）、薄肉化深絞り缶を製造し、薄肉化深絞り缶としての適性を評価した。なお、加工性、耐衝撃性、泡立ち性、泡持ち性については実施例１と同様の方法で、耐食性およびフレ−バ−性については実施例２と同様の方法で行った。
１．製缶加工
缶銅部の平均薄肉化率：成刑前の樹脂被覆金属板の厚さに対し３０〜４５％
歪取り熱処理
製缶加工に伴い導入されたフィルムの加工歪を（フィルム融点−２０）℃の熱環境下で２０秒間加熱保持した後に急冷することにより取り除き、核性能評価に供した。
【０１１９】
得られた薄肉化深絞り缶の缶内面フィルムの空孔数については、歪取り熱処理を施した缶体（薄肉化率４０％）において最も空孔の数が多い部分を缶胴からＳＥＭで観察して探し出し、その部分についてＳＥＭでフィルム表面を観察し、任意のフィルム表面の少なくとも１０ヶ所において１００μｍ×１００μｍの範囲の該当する数を数え、その平均値を１００倍したものを面積１ｍｍ2中の空孔数とした。
【０１２０】
得られた結果を条件と併せて表４に示す。
【０１２１】
【表４】
0004604578.tif 000005
【０１２２】
表４によれば、加工性、耐衝撃性、泡立ち性、泡持ち性、全てに優れ、さらに熱処理により泡立ち性、泡持ち性の非常に優れた樹脂フィルム被覆金属缶を得ることができる。一方、比較例では、泡立ち性、泡持ち性に劣ることがわかる。
【０１２３】
本発明例では、泡立ち性、泡持ち性は、樹脂フィルム被覆金属缶の内面フィルム１ｍｍ2中の空孔数が多いほど優れる傾向にあり、その空孔数は、フィルム中への酸化ケイ素等の粒子の添加およびその量、熱処理の温度、水蒸気雰囲気に応じて増加することがわかる。